(57)【要約】【課題】漏水や結露による水が洗面台等のカウンター上に溜らない構成にすることによりカビ等が発生せず衛生的な水栓を提供することを目的とする。【解決手段】水栓１の水栓本体１ａはカウンター４の上面４ａに垂直に据付けられる。水栓本体１ａの下部１ｃ全周に水滴を集めて流出させる凹溝３０が設けられ、凹溝３０は水栓本体１ａに沿って設けられる第１の凹溝３１と第１の凹溝３１から水滴を流出させる第２の凹溝３２とで形成される。第１の凹溝３１の断面形状は、底面３１ａと片側面３１ｃとからなるアングル形状であり水栓本体１ａを他側面として矩形形状に形成され、幅（内法）Ｗ、高さ（内法の）Ｈ、厚さＴである。第２の凹溝３２の断面形状は、底面３２ａと両側面３２ｃとからなる矩形形状である。凹溝３０は連続的に傾斜し第２の凹溝の先端部３４が最下点となるように形成される。【選択図】  図１
2006328771.tif 000002
【特許請求の範囲】
【請求項１】
水栓本体が垂直に据付けられる水栓であって、
この水栓本体の下部に水滴を集めて流出させる凹溝を設け、前記凹溝は水栓本体に沿って全周に設けられる第１の凹溝と前記第１の凹溝から水滴を流出させる第２の凹溝とで連続的に形成されることを特徴とする水栓。
【請求項２】
請求項１に記載の水栓であって、前記第１の凹溝と前記第２の凹溝からなる前記凹溝は連続的に傾斜し前記第２の凹溝の先端部が最下点となるように形成されることを特徴とする水栓。
【発明の詳細な説明】
【技術分野】
【０００１】
本発明は、洗面化粧台や流し台等のカウンター上面（天板部）に設けられる水栓に関し、詳しくは、カウンター上面に垂直に取付けられる水栓本体の漏水や結露水が自然に集められてボウルやシンク等に排水される水栓の構成を提供する。
【背景技術】
【０００２】
従来、洗面化粧台や流し台等のカウンター上面に取付けられる水栓の構成については、特許文献１に記載の内容が知られている。
【０００３】
この特許文献１によれば、図４、図５に示すように、水栓１はその下端に差し込み部６を有し、差し込み部６は水栓１の外径よりも小径に形成されている。差し込み部６の上部には周方向に沿ってセレーション９が設けられ、このセレーション９によって係合部２が形成されている。
【０００４】
係合部２にはセレーション９よりも外側方向に位置決め用突起１５が突出して設けられ、さらに、前記差し込み部６の下部には周方向に沿って凹溝部７が設けられる。
【０００５】
水栓１の差し込み部６に挿入接続される取付部材５は、筒部５ｃの上端にフランジ５ａを備えた形状で、筒部５ｃの外周面にねじ部５ｂと内周面に回り止め係合部３が形成され、さらに外周面下部には取付溝１１が形成される。
【０００６】
この取付溝１１に金属製棒材をコ字状に屈曲させた弾性を有する係合具８が嵌められるようになっている。
【０００７】
回り止め係合部３は水栓１に設けられた係合部２を構成するセレーション９と係合可能なセレーション１０で形成されており、セレーション９とセレーション１０とを相互に係合させることで取付部材５に対して回り止めした状態で水栓１を接続できるようになっている。
【０００８】
被取付面としてのカウンター４の上面（天板部）４ａには取付孔１２が形成されており、この取付孔１２に取付部材５の筒部５ｃを挿入し、カウンターの下面側において筒部５ｃに座板１４を挿着すると共に筒部５ｃの外周面に設けられたねじ部５ｂにナット１３を螺合することで取付部材５が取付孔１２に取付けられる。さらに、取付溝１１に前記係合具８を嵌めることにより前記係合具８は前記差し込み部６の下部の凹溝部７と弾性的に固定される。
【特許文献１】特開平６−２６４４７８号公報
【発明の開示】
【発明が解決しようとする課題】
【０００９】
ところが、上記水栓１では、水栓１内部に格納される図示しない止水パッキンからの漏水や、使用水の温度が周囲の温度がよりも低い場合に水栓１外面に発生する結露により、水滴が水栓本体に沿って流れ落ちる場合がある。
【００１０】
このため、水栓が取付けられる洗面台や流し台等のカウンター上面に、水滴（水）が溜り水となってカビ等を発生させる要因になるので不衛生であるという問題があった。
【００１１】
そこで、本発明は上記問題を解決して、止水パッキンからの漏水や結露によって洗面台や流し台等のカウンター上面に溜り水が発生しない構成にしてカビ等が発生しない衛生的な水栓を提供することを目的とする。
【課題を解決するための手段】
【００１２】
請求項１の発明は、水栓本体が垂直に据付けられる水栓であって、この水栓本体の下部に水滴を集めて流出させる凹溝を設け、前記凹溝は水栓本体に沿って全周に設けられる第１の凹溝と前記第１の凹溝から水滴を流出させる第２の凹溝とで連続的に形成されることを特徴としている。
【００１３】
この水栓であれば、水栓本体に発生する結露やパッキンからの漏水による水滴を水栓本体の下部全周に亘って設けられる第１の凹溝及び第２の凹溝に受けることができる。
【００１４】
請求項２の発明は、請求項１に記載の水栓であって、前記第１の凹溝と前記第２の凹溝からなる前記凹溝は連続的に傾斜し前記第２の凹溝の先端部が最下点となるように形成されることを特徴としている。
【００１５】
この水栓であれば、水栓本体に発生する結露やパッキンからの漏水による水滴がスムーズに流れることができる。
【発明の効果】
【００１６】
請求項１記載の発明によれば、水栓本体に発生する結露やパッキンからの漏水による水滴を水栓本体の下部全周に亘って設けられる第１の凹溝に受けることができ、第１の凹溝を経由して第２の凹溝から前記水滴（水）を流出することができるので、洗面台や流し台等のカウンター上面に溜り水が発生することがなくなる。
【００１７】
このため、カビ等が発生しない衛生的な水栓が提供できる。
【００１８】
請求項２記載の発明によれば、水栓本体に発生する結露やパッキンからの漏水による水滴がスムーズに流れて、最下点である前記第２の凹溝の先端部から自然に流出させることができるので、請求項１記載の発明の効果と同様の効果を得ることができる。
【発明を実施するための最良の形態】
【００１９】
＜本発明の第１の実施形態＞
以下に、本発明の第１の実施形態を図１〜図３に基づいて説明する。なお、図４、図５に示した構成と同等部分には適宜に同一符号を付して説明する。
【００２０】
＜水栓の構成＞
図１（ａ）、（ｂ）に示すように、本発明の水栓１は、例えば、洗面化粧台２４のボウル２５に湯、水を注いで手や顔を洗うために取付けられるカートリッジ式のシングルレバーの（混合）水栓１である。
【００２１】
水栓１はシングルレバー２２と蛇口２３を備え、水栓１の水栓本体１ａの内部には（湯、水）混合水栓としての図示しないカートリッジが内蔵される。
【００２２】
そして、シングルレバー２２を左右に回転して湯と水の割合を調整し、シングルレバー２２を上下に移動して水量を加減し、温度と水量が調整された吐水は蛇口２３からボウル２５に吐出される。
【００２３】
ここで、前記水栓１の水栓本体１ａはカウンター４の上面４ａ（天板部）に封水パッキン３５を介して垂直に据付けられ、水栓本体１ａにはシングルレバー２２が左右上下、蛇口２３が左右に回転するための隙間２０、２１が水平に形成されている。
【００２４】
この水栓本体１ａの下部１ｃ全周（カウンター４の上面４ａ近傍）に亘って水滴を集めて流出させる凹溝３０が設けられる。前記凹溝３０は水栓本体１ａに沿って全周に設けられる第１の凹溝３１と前記第１の凹溝３１から水滴を流出させる第２の凹溝３２とで連続的に形成される。
【００２５】
第１の凹溝３１の断面形状は、底面３１ａと片側面３１ｃとからなるアングル形状であり水栓本体１ａを他側面として矩形断面形状に形成され、幅（内法）Ｗ、高さ（内法の）Ｈ、厚さＴである。
【００２６】
第２の凹溝３２の断面形状は、底面３２ａと両側面３２ｃとからなる矩形形状であり、幅（内法）Ｗ、高さ（内法の）Ｈ、厚さＴである。
【００２７】
第１の凹溝３１と前記第２の凹溝３２の交差点３３においては、互いの側面３１ｃ、側面３２ｃが連続して曲線的に一体形成される。
【００２８】
そして、前記第１の凹溝３１と前記第２の凹溝３２からなる凹溝３０は連続的に傾斜し前記第２の凹溝の先端部３４が最下点となるようにα＝略１度で形成される。また、先端部３４はカウンター４からボウル２５にＱ＝略２ｍｍ突出するのが好ましい。
【００２９】
前記第１の凹溝３１と前記第２の凹溝３２の材質は樹脂或いはステンレス等の錆びない金属が用いられ溶接又は接着剤で水栓本体１ａに固着される。
【００３０】
＜水栓の作用＞
水栓１の止水パッキンからの漏水や、使用水の温度が周囲の温度よりも低い場合に発生する結露によって、水滴が水栓本体１ａに沿って（伝い水として）流れ落ちても凹溝３０によって水滴（水）を集約して溜めることができる。
【００３１】
そして、前記第１の凹溝３１と前記第２の凹溝３２からなる凹溝３０は連続的に傾斜し前記第２の凹溝３２の先端部３４が最下点となるようにα＝略１度で形成されるので、水滴（水）を先端部３４までスムーズに連続的して流すことができる。
【００３２】
また、先端部３４はカウンター４からボウル２５にＱ＝略２ｍｍ突出する位置なので、水滴（水）は先端部３４から確実にボウル２５内に流出される。
【００３３】
このため、洗面台や流し台等のカウンター４の上面４ａに水栓１からの水滴（水）が溜ることがないのでカビ等が発生せず衛生性が向上する。
【００３４】
以上、本発明の実施形態を図面に基づいて説明したが、上記の実施例はいずれも本発明の一例を示したものであり、本発明はこれらに限定されるべきでないということはいうまでもない。
【００３５】
水栓１の断面形状は必ずしも略円形とは限らず様々な形状が存在するので、前記第１の凹溝３１の形状は対象の水栓断面形状に適応して形成される。
【図面の簡単な説明】
【００３６】
【図１】本発明の実施形態における、水栓１に取付けられた第１の凹溝３１と第２の凹溝３２からなる凹溝３０の状態を示す斜視図である。
【図２】本発明の実施形態における、図１のＡ−Ａ矢視図である。
【図３】本発明の実施形態における、図２のＢ−Ｂ矢視図である。
【図４】従来例における、水栓１の取付け状態を示す分解斜視図である。
【図５】従来例における、水栓１とカウンター４の固着状態を示す一部断面視側面図である。
【符号の説明】
【００３７】
１  水栓
１ａ  水栓本体
４  カウンター
４ａ  上面
３０  凹溝
３１  第１の凹溝
３１ａ  底面
３１ｃ  側面
３２  第２の凹溝
３２ａ  底面
３２ｃ  側面
３４  先端部
Ｗ  幅
Ｈ  高さ
Ｔ  厚さ
【図１】
2006328771.tif 000003
【図２】
2006328771.tif 000004
【図３】
2006328771.tif 000005
【図４】
2006328771.tif 000006
【図５】
2006328771.tif 000007